(57)【要約】      （修正有）【課題】構成させる電極の表面に強い酸化力とその反応及び有効な電気分解作用、電気分解反応を与える電極の構成手段と、電極の構成手段に必要とする通電手段と、これらを有効に用いて構成させる電気分解システム或いは電気分解反応システムを具現化させ提供する。【解決手段】気体Ａを放射状に回転噴流させ、高周波な弾性波或いは縦波を発生させると共に電気分解作用を可能とさせる電極Ｅ或いは分割電極Ｇ２、また電流の対となる対電極Ｌを単体或いは多様化させて具現化させる電極構成手段とその通電構成手段Ｋ３及びこれらを用い、三相交流電源を直接或いは全波整流、半波整流させて構成させる電気分解システムを構成或いは形成させる。【選択図】図３
2011144444.tif 000002
【特許請求の範囲】
【請求項１】
気体（図１のＡ）の筒状流通領域（図１のＢ）を有し、回転通電（図１のＣ）、絶縁回転支持（図１のＤ）を可能とさせる円筒状の電極（図１のＥ）或いは上記電極を所定に分割結合（図１のＦ）させる分割電極（図１のＧ）を設け備え、上記電極、分割電極の所定な領域（図１のＨ）に上記筒状流通領域から放射状に上記気体を噴流させる噴流切欠（図１の拡大図１、２のＩ）を上記電極或いは分割電極を放射状に貫通させて複数且つ密に設け備え、上記噴流切欠から噴流させる上記気体に８０００Ｈｚ以上の弾性波或いは縦波を発生させる回転手段（図１のＪ）及び電流周波数５０Ｈｚ以上の電力を上記電極或いは分割電極に通電さる通電手段（図１のＫ）を設け備えて構成させる回転縦波発生電極手段（図１）と、上記回転縦波発生電極手段（図１）の電極（図１のＥ）或いは分割電極（図１のＧ）に有って、上記双方の上記噴流切欠（図１の拡大図１のＩ）を備える上記筒状流通領域（図１のＢ）に上記電極或いは分割電極を対とする棒状或いは円筒状の対電極手段（図２のＬ）を上記筒状流通領域の領域壁に間隙（図２のＢ１）を持たせて設け備え、絶縁支持、通電、回転（図２のＲ１）を可能とする通電手段（図２のＫ１）及び回転手段（図２のＪ１）を設け備えて構成させる回転縦波発生対電極手段（図２）と、上記回転縦波発生対電極手段（図２）の分割電極（図２のＧ１）に有って、分割電極（図１のＧ）の分割結合（図１のＦ）に絶縁分割結合（図２のＦ１）を設けて絶縁に結合させ、通電手段（図２のＫ２）を設け備えて構成させる回転縦波発生対分割電極手段（図２）。
【請求項２】
請求項１に記載する回転縦波発生対分割電極手段（図２）の分割電極（図２のＧ１）に有って、分割電極（図２のＧ１）をその回転方向に三分割させ、三分割する各々に絶縁間隔（図３のＭ）を設け備え、絶縁結合させて構成（図３のＦ２）させる三極の三相交流回転三分割電極（図３のＧ２）を設け、備える分割電極（図２のＧ１）に置き換えて構成させ、上記三相交流三分割電極の三分割各々に通電手段（図３のＫ３）各々を設け備え回転可能に接続させて構成させる三相交流回転対三分割電極手段（図３）。
【請求項３】
請求項１に記載する回転縦波発生電極手段（図１）の何れかを所定な間隔（図５）の三方向に配置させ三極に構成させる三相交流回転三電極手段（図４の三相交流回転三電極）を設け備え、上記回転縦波発生電極手段各々の通電手段（図４のＫ）各々に三相交流電源の単相電力（図４のＵ、Ｖ、Ｗ）各々を接続させて構成させる三相交流回転三電極通電構成手段（図４の三相交流回転三電極通電構成手段）と、上記三相交流回三電極通電構成手段（図４の三相交流回転三電極通電構成手段）を配備構成させる配置の中央位置或いは中間位置に回転縦波発生電極手段（図１）の何れかを加え備えて構成させる四極の三相交流回転四電極手段（図４の三相交流回転四電極手段）を設け備え、備える三相交流回転三電極手段（図４）に備える通電手段（図４のＫ）の各々に電流方向を制御させるダイオードー或いは電流の逆流防止手段（図４のＮ１）を設け備える三相交流電源の単相電源（図４のＵ、Ｖ、Ｗ）各々を接続させ、上記三相交流回転四電極手段を構成する上記何れかの回転縦波発生電極手段（図１）の通電手段（図４のＫＣ）に電流方向を並列に制御させるダイオードー或いは電流の逆流阻止手段（図４のＮ２）各々を所定（図４）に設け備え、その電流下流側各々を上記三相交流電源の単相電源各々に配備する上記ダイオードー或いは電流の逆流防止手段（図４のＮ１）各々の電流上流側に接続（図４）させて上記三相交流電源の全波整流或いは半波整流手段（図４）を構成させて通電させ構成させる上記三相交流回転四電極手段の三相交流回転四電極通電構成手段（図４）と、請求項２に記載の三相交流回転対三分割電極手段（図３）に備える三相交流回転三分割電極（図３のＧ２）を構成させる通電手段（図３のＫ３）各々に三相交流電源（図７のＵ、Ｖ、Ｗ）の単相電源各々を接続させ、電流方向を制御させるダイオードー或いは電流の逆流防止手段（図７のＮ１）を設け備え、備える対電極手段（図３のＬ）の通電手段（図３のＫ１）に電流方向を並列に制御させるダイオードー或いは電流の逆流阻止手段（図７のＮ２）各々を所定（図７）に設け備え、その電流下流側各々を上記三相交流電源の単相電源各々に配備する上記ダイオードー或いは電流の逆流防止手段（図７のＮ１）各々の電流上流側に接続（図７）させて三相交流電源の全波整流或いは半波整流手段（図７）を構成させ設け備えて構成させる三相交流回転対三分割電極通電構成手段（図７）。
【請求項４】
電解質或いは無機物及び有機物、微生物の介在する液（図５のＱ）を流入（図５のＱ２）及び流出（図５のＱ３）させて反応させる反応系或いは領域（図５のＱ１）に請求項３の三相交流回転三電極通電構成手段（図４の三相交流回転三電極通電構成手段）を所定（図５）に配備させて設け備え、空気（図５のＡ）を供給させて回転させ、反応系或いは領域（図５のＱ１）に微細且つ高密な気泡（図５のＰ）及び高振動な弾性波或いは高周波な縦波を発生させ、三相交流電力（図５のＵ、Ｖ、Ｗ）を通電（図５）させて三相交流電源を直接に用いる電気分解手段を構成させる三相交流回転三電極電解構成手段（図５）と、上記の反応系或いは領域（図５のＱ１）に請求項３の三相交流回転四電極通電構成手段（図４の三相交流回転四電極通電構成手段）を上記同様に配備（図６）させ備えて構成（図６）させる三相交流回転四電極電解構成手段（図６）と、上記の反応系或いは領域（図５のＱ１）に請求項３の三相交流回転対三分割電極通電構成手段（図７）を上記同様（図７）に配備させ備えて構成させる三相交流回転対三分割電極電解構成手段（図７）。
【発明の詳細な説明】
【技術分野】
【０００１】    本発明は、電極構成手段とその通電構成手段及び電気分解反応に関する。
【背景技術】
【０００２】    近年、電気分解作用を微生物の生息系或いは活性化に用いる工夫が為されるに至っている。また、電気分解作用を用いる様々な表面加工、被膜処理、電気分解作用から得られる電解物質など、その用途は広がりを見せている。然し、未だ電極表面に強い酸化力と反応を与え、有効な電気分解作用を導く電極、通電、電気分解システムは見られるに至っていない。
【発明の開示】
【発明が解決しようとする課題】
【０００３】    本発明の課題は、構成させる電極の表面に強い酸化力とその反応及び有効な電気分解作用、電気分解反応を与える電極の構成手段と、これらの電極手段に必要な通電手段と、これらを用いて構成させる有効な電気分解手段或いは電気分解システムを具現化させて提供することにある。
【課題を解決するための手段】
【０００４】    請求項１は、気体（図１のＡ）の筒状流通領域（図１のＢ）を有し、回転通電（図１のＣ）、絶縁回転支持（図１のＤ）を可能とさせる円筒状の電極（図１のＥ）或いは上記電極を所定に分割結合（図１のＦ）させる分割電極（図１のＧ）を備え、上記電極、分割電極の所定な領域（図１のＨ）に上記筒状流通領域から放射状に上記気体を噴流させる噴流切欠（図１の拡大図１、２のＩ）を上記電極或いは分割電極を放射状に貫通させて複数且つ密に設け、上記噴流切欠から噴流させる上記気体に８０００Ｈｚ以上の弾性波或いは縦波を発生させる回転手段（図１のＪ）と電流周波数５０Ｈｚ以上の電力を上記電極或いは分割電極に通電さる通電手段（図１のＫ）を備えて構成させる回転縦波発生電極手段（図１）を構成させている。
上記回転縦波発生電極手段（図１）の電極（図１のＥ）或いは分割電極（図１のＧ）に有って、上記双方の上記噴流切欠（図１の拡大図１のＩ）を備える上記筒状流通領域（図１のＢ）に上記電極を対とする棒状或いは円筒状の対電極手段（図２のＬ）を上記筒状流通領域の領域壁に間隙（図２のＢ１）を持たせて設け備え、絶縁支持、通電、回転（図２のＲ１）を可能とする通電手段（図２のＫ１）及び回転手段（図２のＪ１）を備えて構成させる回転縦波発生対電極手段（図２）を構成させている。
上記回転縦波発生対電極手段（図２）の分割電極（図２のＧ１）に有って、分割電極（図１のＧ）の分割結合（図１のＦ）に絶縁分割結合（図２のＦ１）を設けて絶縁に結合させ、通電手段（図２のＫ２）を備えて構成させる回転縦波発生対分割電極手段（図２）を構成させている。【０００５】    請求項２は、請求項１に記載する回転縦波発生対分割電極手段（図２）の分割電極（図２のＧ１）に有って、分割電極（図２のＧ１）をその回転方向に三分割させ、三分割する各々に絶縁間隔（図３のＭ）を設け、絶縁結合させて構成（図３のＦ２）させる三極の三相交流回転三分割電極（図３のＧ２）を設け、備える分割電極（図２のＧ１）に置き換えて構成させ、上記三相交流三分割電極の三分割各々に通電手段（図３のＫ３）各々を備え接続させて構成させる三相交流回転対三分割電極手段（図３）を構成させている。【０００６】    請求項３は、請求項１に記載する回転縦波発生電極手段（図１）の何れかを所定な間隔（図５）の三方向に配置させ三極に構成させる三相交流回転三電極手段（図４の三相交流回転三電極）を設け、上記回転縦波発生電極手段各々の通電手段（図４のＫ）各々に三相交流電源の単相電力（図４のＵ、Ｖ、Ｗ）各々を接続させて構成させる三相交流回転三電極通電構成手段（図４の三相交流回転三電極通電構成手段）を構成させている。
上記三相交流回三電極通電構成手段（図４の三相交流回転三電極通電構成手段）を配備構成させる配置の中央位置或いは中間位置に回転縦波発生電極手段（図１）の何れかを加え備えて構成させる四極の三相交流回転四電極手段（図４の三相交流回転四電極手段）を設け、備える三相交流回転三電極手段（図４）に備える通電手段（図４のＫ）の各々に電流方向を制御させるダイオードー或いは電流の逆流防止手段（図４のＮ１）を設け、備える三相交流電源の単相電源（図４のＵ、Ｖ、Ｗ）各々を接続させて備え、上記三相交流回転四電極手段を構成する上記何れかの回転縦波発生電極手段（図１）の通電手段（図４のＫＣ）に電流方向を並列に制御させるダイオードー或いは電流の逆流阻止手段（図４のＮ２）各々を所定（図４）に設け、その電流下流側各々を上記三相交流電源の単相電源各々に配備する上記ダイオードー或いは電流の逆流防止手段（図４のＮ１）各々の電流上流側に接続（図４）させて上記三相交流電源の全波整流或いは半波整流手段（図４）を構成し通電させて構成させる上記三相交流回転四電極手段の三相交流回転四電極通電構成手段（図４）を構成させている。
請求項２に記載の三相交流回転対三分割電極手段（図３）に備える三相交流回転三分割電極（図３のＧ２）を構成させる通電手段（図３のＫ３）各々に三相交流電源（図７のＵ、Ｖ、Ｗ）の単相電源各々を接続させ、電流方向を制御させるダイオードー或いは電流の逆流防止手段（図７のＮ１）を設け、備える対電極手段（図３のＬ）の通電手段（図３のＫ１）に電流方向を並列に制御させるダイオードー或いは電流の逆流阻止手段（図７のＮ２）各々を所定（図７）に備え、その電流下流側各々を上記三相交流電源の単相電源各々に配備する上記ダイオードー或いは電流の逆流防止手段（図７のＮ１）各々の電流上流側に接続（図７）させて三相交流電源の全波整流或いは半波整流手段（図７）を構成し備えて構成させる三相交流回転対三分割電極通電構成手段（図７）を構成させている。【０００７】    請求項４は、電解質或いは無機物及び有機物、微生物の介在する液（図５のＱ）を流入（図５のＱ２）及び流出（図５のＱ３）させて反応させる反応系或いは領域（図５のＱ１）に請求項３の三相交流回転三電極通電構成手段（図４の三相交流回転三電極通電構成手段）を所定（図５）に配備させて備え、空気（図５のＡ）を供給させて回転させ、反応系或いは領域（図５のＱ１）に微細且つ高密な気泡（図５のＰ）及び高振動な弾性波或いは高周波な縦波を発生させ、三相交流電力（図５のＵ、Ｖ、Ｗ）を通電（図５）させて三相交流電源を直接に用いる電気分解手段を構成させる三相交流回転三電極電解構成手段（図５）を構成させている。
上記の反応系或いは領域（図５のＱ１）に請求項３の三相交流回転四電極通電構成手段（図４の三相交流回転四電極通電構成手段）を上記同様に配備させ備えて構成させる三相交流回転四電極電解構成手段（図６）を構成させている。
上記の反応系或いは領域（図５のＱ１）に請求項３の三相交流回転対三分割電極通電構成手段（図７）を上記同様に配備させ備えて構成させる三相交流回転対三分割電極電解構成手段（図７）を構成させている。
【発明の効果】
【０００８】    本発明の電極構成手段、通電手段は電気分解作用を目的とするプロセス或いは電気分解反応を目的とする様々な処理方式、または反応を目的とさせるシステム化に広い適用範囲を有し、以下に記載する効果を醸す。
本発明の電極構成手段は、構成させる電極表面の酸化力、反応を著しく強め、併せ無整流な三相交流電源の活用を可能とさせる通電手段との併合により従来の電極構成手段に比較させて、その電力消費量の約２５％を節約させることができる。
また、本発明を電気分解プロセスに用いることで、従来の電気分解作用と異なる様々な電気分解作用と反応効果を導くことを可能とし、有価な電解生成物、電解核融合、酸素及び水素の混合気体電気分解（通称フレアーガスの電気分解）、電気分解表面処理の多重層金属のメッキ加工或いは合金類の表面被服加工、廃水処理分野に於ける燐化合物、窒素化合物類の分解処理、酸化処理等に有利な適用範囲を有する。
【発明の実施するための最良の形態】
【０００９】    請求項１の実施形態を説明する。（図１、２、５、７を参照）
回転縦波発生電極手段（図１）の一実施例を下記の形態で実施する。
電極（図１のＥ）の材質に鉄を用いる。また微生物に毒性の弱い金属を用いても良い。電極（図１のＥ）或いは分割電極（図１のＧ）に気体（図１のＡ）を供給させる中空の流通領域（図１のＢ）を設ける。気体は圧力供給させても良い。気体の供給設備と電極（図１のＥ）の連結には回転封圧継手（ロータリージョイント）を用いる。分割電極（図１のＧ）は上記電極（図１のＥ）の所定な位置（図１のＦ）を分割させ結合させて構成させる。分割電極の電解消耗交換を考慮し、配置、配備する際の液面上（図５のＱ４）にフランジーを用いて分割結合（図１のＦ）させる。電極の絶縁回転支持（図１のＤ）は絶縁可能な軸受を電極に備え、任意の架台に絶縁させて支持させて取り付ける。回転通電（図１のＣ）は電極に通電性の良い材質のリングを設け、回転可能に設ける通電手段（図１のＫ）に接触させる。通電手段（図１のＫ）は回転体を備え、回転通電（図１のＣ）のリングに接触させ、回転体を回転させて通電させる。通電手段（図１のＫ）は絶縁させて上記任意の架台に支持させ、電源を接続させる。回転手段（図１のＪ）は、絶縁なＶベルトを用い、電極と回転原動機の双方にＶベルトの回転プーリーを備えて構成させる。回転原動機は、上記任意な架台に支持させて備える。電極の所定な部分の領域（図１のＨ）に流通領域（図１のＢ）から電極（図１のＥ）或いは分割電極（図１のＧ）を放射状に貫通させる気体（図１のＡ）の噴流切欠（図１の拡大図１のＩ）を設け備える。噴流切欠（図１のＩ）の形状は穴状（穴径の目安は２ｍｍ程度）或いはスリット状の溝（溝幅の目安は１ｍｍ程度）を複数に配置させて設ける。回転手段（図１のＪ）の回転数は、上記噴流切欠（図１のＩ）から回転噴流させる気体（図１のＡ）の微細な気泡化とその気泡化から生ずる弾性波或いは縦波の発生を目的として、発生させる弾性波或いは縦波の周波数を１２０００Ｈｚ以上に維持させる回転数の範囲であれば良い。
回転縦波発生対電極手段（図２）の一実施例を下記の形態で実施する。
上記回転縦波発生電極手段（図１）を上記同様に設け備える。その電極（図１のＥ）或いは分割電極（図１のＧ）に備える噴流切欠（図１の拡大図１のＩ）の領域（図１のＨ）及びその筒状流通領域（図１のＢ）に電極（図２のＥ）或いは分割電極（図２のＧ１）を通電の対とする棒状或いは円筒状の対電極手段（図２のＬ）を筒状流通領域（図２のＢ）の領域壁に間隙（図２のＢ１）を持たせて設け備える。間隙（図２のＢ１）の目安は３０ｍｍ程度とする。対電極手段（図２のＬ）の支持は備える構成に従い任意で良い。備える液領域（図７のＱ）或いは液槽（図７のＱ１）の場合は液槽（図７のＱ１）に絶縁させ貫通させて支持させる。通電手段（図２のＫ１）は液槽内、液槽外に備えても良い、液槽内に設ける場合は電極（図２のＥ）、分割電極（図２のＧ１）に絶縁させて設ける。対電極手段（図２のＬ）に通電手段（図２のＫ１）及び回転手段（図２のＪ１）を備えて回転縦波発生対電極手段（図２）を構成或いは形成させる。通電手段（図２のＫ１）には回転体を備えて回転させる対電極手段（図２のＬ）に回転接触させ、電源を接続させて通電させる。回転手段（図２のＪ１）は原動機を用い電極（図２のＥ）、分割電極（図２のＧ１）の回転方向に逆回転させる。回転数は任意で良い。
回転縦波発生対分割電極手段（図２）の一実施例を下記の形態で実施する。
上記回転縦波発生対電極手段（図２）の分割電極（図２のＧ１）に有って、分割電極（図２のＧ１）の分割結合（図２のＫ２）に絶縁分割結合（図２のＦ１）を設け絶縁させて結合させる。回転体を備える通電手段（図２のＫ２）を設け備え、電源を接続し分割電極（図２のＧ１）に回転接触させ通電させて回転縦波発生対分割電極手段（図２）を構成させる。
【００１０】    請求項２の実施形態を説明する。（図２、３、７を参照）
三相交流回転対三分割電極手段（図３）の一実施例を下記の形態で実施する。
請求項１に記載する回転縦波発生対分割電極手段（図２）の分割電極（図２のＧ１）に有って、分割電極（図２のＧ１）をその回転方向に三分割させ、三分割する各々に絶縁間隔（図３のＭ）を設け備え、絶縁結合させて構成（図３のＦ２）させる三極を絶縁させ一体に構成する三相交流回転三分割電極（図３のＧ２）を構成させて設け、分割電極（図２のＧ１）に置き換えて三相交流回転対三分割電極手段（図３）を構成或いは形成させる。気体（図３のＡ）の流通領域（図３のＢ）、噴流切欠（図３の拡大断面図１、２のＩ）、対電極手段（図３のＬ）、通電手段（図３のＫ１）、回転手段（図３のＪ１）を同様に設け備えて構成或いは形成させる。
【００１１】    請求項３の実施形態を説明する。（図１、４、５、６、７を参照）
三相交流回転三電極手段（図４の三相交流回転三電極）と三相交流回転三電極通電構成手段（図４の三相交流回転三電極通電構成手段）の一実施例を下記の形態で実施する。
請求項１に記載する回転縦波発生電極手段（図１）の何れかを所定な間隔（図５）の三方向に配置させ三極を一体として構成させる三相交流回転三電極手段（図４の三相交流回転三電極）を設け備える。三方向の配備距離は任意の均等とする。配置、配備の支持、固定は単体或いは複数の任意な架台を用いても良い。三方向の単体構成として備える上記回転縦波発生電極手段各々の通電手段（図４のＫ）各々に三相交流電源の単相電力（図４のＵ、Ｖ、Ｗ）各々を接続させて通電し三相交流回転三電極通電構成手段（図４の三相交流回転三電極通電構成手段）を構成或いは形成させる。
三相交流回転四電極手段（図４の三相交流回転四電極手段）と三相交流回転四電極通電構成手段（図４）の一実施例を下記の形態で実施する。
上記三相交流回三電極通電構成手段（図４の三相交流回転三電極通電構成手段）を配備構成させる配置の中央位置或いは中間位置に回転縦波発生電極手段（図１）の何れかを加え備えて構成させる四極を一体とする三相交流回転四電極手段（図４の三相交流回転四電極手段）を設けて備える。四極間の配備距離は均等とする。備える三相交流回転三電極手段（図４）に備える通電手段（図４のＫ）の各々に電流方向を制御させるダイオードー或いは電流の逆流防止手段（図４のＮ１）を設け備える三相交流電源の単相電源（図４のＵ、Ｖ、Ｗ）各々を接続させ、上記三相交流回転四電極手段を構成する上記何れかの回転縦波発生電極手段（図１）の通電手段（図４のＫＣ）に電流方向を並列に制御させるダイオードー或いは電流の逆流阻止手段（図４のＮ２）各々を所定（図４）に設け備え、その電流下流側各々を上記三相交流電源の単相電源各々に配備する上記ダイオードー或いは電流の逆流防止手段（図４のＮ１）各々の電流上流側に接続（図４）させて上記三相交流電源の全波整流或いは半波整流手段（図４）を構成させ通電させて構成させる上記三相交流回転四電極手段と三相交流回転四電極通電構成手段（図４）を構成或いは形成させる。
三相交流回転対三分割電極通電構成手段（図７）の一実施例を下記の形態で実施する。
請求項２に記載の三相交流回転対三分割電極手段（図３）に備える三相交流回転三分割電極（図３のＧ２）を構成させる通電手段（図３のＫ３）各々に三相交流電源（図７のＵ、Ｖ、Ｗ）の単相電源各々を接続させ、電流方向を制御させるダイオードー或いは電流の逆流防止手段（図７のＮ１）を設け備え、備える対電極手段（図３のＬ）の通電手段（図３のＫ１）に電流方向を並列に制御させるダイオードー或いは電流の逆流阻止手段（図７のＮ２）各々を所定（図７）に設け備え、その電流下流側各々を上記三相交流電源の単相電源各々に配備する上記ダイオードー或いは電流の逆流防止手段（図７のＮ１）各々の電流上流側に接続（図７）させて三相交流電源の全波整流或いは半波整流手段（図７）を構成させ設け備えて構成させる三相交流回転対三分割電極通電構成手段（図７）を構成或いは形成させる。
【００１２】    請求項４の実施形態を説明する。（図５、６、７を参照）
三相交流回転三電極電解構成手段（図５）の一実施例を下記の形態で実施する。
電解質或いは無機物及び有機物、微生物の介在する液（図５のＱ）を流入（図５のＱ２）及び流出（図５のＱ３）させて反応させる反応系或いは領域（図５のＱ１）を設け備える。その反応系或いは領域（図５のＱ１）に請求項３の三相交流回転三電極通電構成手段（図４の三相交流回転三電極通電構成手段）を所定（図５）に配備させて設け備える。空気（図５のＡ）を供給させて回転させ、反応系或いは領域（図５のＱ１）に微細且つ高密な気泡（図５のＰ）及び高振動な弾性波或いは高周波な縦波を発生させ、三相交流電力（図５のＵ、Ｖ、Ｗ）を通電（図５）させて三相交流電源を直接に用いる電気分解手段を構成させる三相交流回転三電極電解構成手段（図５）を構成或いは形成させる。
三相交流回転四電極電解構成手段（図６）の一実施例を下記の形態で実施する。
上記の反応系或いは領域（図５のＱ１）に請求項３の三相交流回転四電極通電構成手段（図４の三相交流回転四電極通電構成手段）を上記同様に配備させ備えて構成させる三相交流回転四電極電解構成手段（図６）を構成或いは形成させる。
三相交流回転対三分割電極電解構成手段（図７）の一実施例を下記の形態で実施する。
上記の反応系或いは領域（図５のＱ１）に請求項３の三相交流回転対三分割電極通電構成手段（図７）を上記同様或いは図７に同様、配備させ備えて構成（図７）させる三相交流回転対三分割電極電解構成手段（図７）を構成或いは形成させる。
【００１３】
【図面の簡単な説明】
【００１４】
【図１】  回転縦波発生電極手段、拡大図１，２と１、２。
【図２】  回転縦波発生対電極手段、回転縦波発生対分割手段、拡大図１，２。
【図３】  三相交流回転三分割電極、三相交流対三分割電極手段、拡大断面図１，２。
【図４】  三相交流回転三電極手段、三相交流回転三電極通電構成手段。
【図５】  三相交流回転三電極電解構成手段。
【図６】  三相交流回転四電極電解構成手段。
【図７】  三相交流回転対三分割電極通電構成手段、三相交回転対三分割電極電解構成手段。
【符号の説明】
【００１５】Ａ      気体、空気
Ｂ      筒状流通領域、流通領域
Ｂ１    間隙
Ｃ      回転通電、リング
Ｄ      絶縁回転支持
Ｅ      電極
Ｆ      分割結合
Ｆ１    絶縁分割結合
Ｆ２    構成
Ｇ      分割電極
Ｇ１    分割電極
Ｇ２    三相交流回転三分割電極
Ｈ      領域
Ｉ      噴流切欠
Ｊ      回転手段
Ｊ１    回転手段
Ｋ      通電手段
ＫＣ    通電手段
Ｋ１    通電手段
Ｋ２    通電手段
Ｋ３    通電手段
Ｌ      対電極手段
Ｍ      絶縁間隔
Ｎ１    ダイオードー或いは電流の逆流防止手段
Ｎ２    ダイオードー或いは電流の逆流阻止手段
Ｐ      微細且つ高密な気泡
Ｑ      液
Ｑ１    反応系或いは領域
Ｑ２    流入
Ｑ３    流出
Ｑ４    液面
Ｒ      回転
Ｒ１    回転
Ｕ      三相交流電源の単相電源、単相電力
Ｖ      三相交流電源の単相電源、単相電力
Ｗ      三相交流電源の単相電源、単相電力
【図１】
2011144444.tif 000003
【図２】
2011144444.tif 000004
【図３】
2011144444.tif 000005
【図４】
2011144444.tif 000006
【図５】
2011144444.tif 000007
【図６】
2011144444.tif 000008
【図７】
2011144444.tif 000009